(57)【要約】【課題】  利用者が突然のプッシュ情報の出力を自分の意思で中断し、また、利用者の希望時に中断したプッシュ情報を呼び出して出力できるようにする。【解決手段】  プッシュ情報を外部から受けて情報を出力する時に、端末装置１の制御部１０４は利用者のプッシュ情報の出力を中断する要求を受けると、モニタ装置１０６へのプッシュ情報の出力を抑止する。また同時に、制御部１０４は出力していたプッシュ情報をメモリ105に蓄え、後に利用者のプッシュ情報の再出力の要求を受けた時に、改めて蓄えた情報をメモリ１０５からモニタ装置１０６へ再び出力できるようにする。【選択図】図１
2005121369.tif 000002
【特許請求の範囲】
【請求項１】
外部から配信される情報を受信してモニタ装置に出力する情報受信端末装置であって、
端末装置の位置を測定する位置算出手段と、
受信情報を格納する記憶手段と、
操作を受け付ける操作入力手段と、
外部との通信を行うことができるデータ通信手段と、を有し、
前記情報受信端末装置は、前記データ通信手段により受信した配信情報を出力する間に前記操作入力手段より中断要求が入力された時には、当該配信情報の出力を抑止して前記記憶手段に当該配信情報を格納し、
前記操作入力手段より前記格納された配信情報の出力要求を受けた時には、前記格納された配信情報に対応した図形を前記モニタ装置へ出力すること
を特徴とする情報受信端末装置。
【請求項２】
請求項１記載の情報受信端末装置において、
前記操作入力手段からの中断要求の入力により配信情報を前記情報記憶手段に蓄える時には、当該配信情報の種別情報を付して前記記憶手段に格納し、
前記格納された配信情報に対応した図形を前記モニタ装置へ出力する時には、前記分類した情報の種別を前記図形に表示すること
を特徴とする情報受信端末装置。
【請求項３】
請求項１記載の情報受信端末装置において、
前記操作入力手段からの中断要求の入力により配信情報を前記情報記憶手段に蓄える時には、当該配信情報を受信した受信時刻または出力中断時刻を付加して前記記憶手段に格納し、
前記格納された配信情報に対応した図形を前記モニタ装置へ出力する時には、前記受信時刻または中断時刻を表示すること
を特徴とする情報受信端末装置。
【請求項４】
請求項１記載の情報受信端末装置において、
前記操作入力手段からの中断要求の入力により配信情報を前記情報記憶手段に蓄える時には、前記位置算出手段により求められた当該配信情報を受信した地点の座標情報を付加して前記記憶手段に格納し、
前記格納された配信情報に対応した図形を前記モニタ装置へ出力する時には、該座標情報をもとに地図上にその情報に対応した図形を表示すること
を特徴とする情報受信端末装置。
【請求項５】
請求項１乃至４記載の情報受信端末装置において、
格納された前記配信情報を前記モニタ装置へ出力する時には、当該配信情報に基づき受信時刻，受信地点，分類の情報を簡略情報として前記モニタ装置に表示し、
該モニタ装置に表示されている簡略情報の中から前記操作入力手段により指定された配信情報の詳細情報を表示すること
を特徴とする情報受信端末装置。
【請求項６】
請求項３記載の情報受信端末装置において、
前記操作入力手段からの中断要求の入力により前記記憶手段に格納された配信情報をモニタ装置へ出力する時には、前記受信時刻または該中断時刻と現在時刻を比較して、現時刻に近い順に前記格納された配信情報を出力すること
を特徴とする情報受信端末装置。
【請求項７】
請求項４記載の情報受信端末装置において、
前記操作入力手段からの中断要求の入力により前記記憶手段に格納された配信情報をモニタ装置へ出力する時には、前記座標情報と現走行座標とを比較して、現座標に近い順に前記格納された配信情報を出力すること
を特徴とする情報受信端末装置。
【発明の詳細な説明】
【技術分野】
【０００１】
本発明は、自身の位置情報を取得可能であり通信を通して情報を受信できる端末装置に関する。
【背景技術】
【０００２】
多くの通信型の情報端末では、利用者が情報を得るために端末装置を操作して情報を収集するいわゆる“プル”型の通信サービスが主であるが、一方で情報提供側から積極的に利用者へ情報を配信する所謂“プッシュ”型の情報配信サービスがある。特に車両向け情報提供サービスでは、車両の走行位置に依存した情報を積極的に利用者に提供するプッシュ型情報配信サービスが今後増えると予想されている。
【０００３】
プッシュ型の情報配信は、プル型と異なり利用者の要求時に情報を提供するものではないため、情報が配信された時が利用者にとって情報を得るのに適した時であるとは限らない。特に車両を運転中であれば、状況によっては深刻な事態になりかねない。そのため、この問題を解決するために、特開２００２−２９３２５号公報「車載用ブラウザ装置」にあるように、車両の走行状態を判断して、受信した情報の表示形式を変えたり、或いは受信した情報をメモリに一時保持して停止状態になったら改めて表示したりする等、利用者が安全な状態で情報を受けられるか否かを考慮して配信する必要がある。
【０００４】
【特許文献１】特開２００２−２９３２５号公報
【発明の開示】
【発明が解決しようとする課題】
【０００５】
上述した従来例では、利用者が配信された情報を受信可能であるか否かはあくまで車載装置の判断によるものであった。この例では、車速情報を用いて車両の走行状態をもとに判断している。この判断は概ね正しいと予想するが、実際は利用者の意思とは関係なく、装置側で勝手に利用者の状態を配慮しているに過ぎない。先の例では停止状態であっても利用者が情報を受け取りたくない状態にあることもあり得る。よって、プッシュ型といういわゆる一方的な情報配信方式に対して、利用者の意思でその情報の受け取りを中断する手段がない。
【０００６】
本発明では、利用者の意思に基づき、配信されたプッシュ型情報の受信を中断する手段を提供することを目的とする。
【０００７】
また本発明では、利用者の意思により受信中断された情報を格納し、その情報を利用者が再び欲した時に提示するための情報提供方式について、その情報格納方式や処理フローを提供することを目的とする。
【課題を解決するための手段】
【０００８】
上記目的を達成するために、本発明の情報受信端末装置は、接続されたモニタ装置に対して地図の描画処理を行う地図描画手段と、外部のスピーカに接続される音声出力制御を行う音声出力制御手段と、端末装置の位置を測定可能なＧＰＳ受信機と接続して自車位置情報を算出する位置算出手段と、それら各々の処理部を制御する制御手段と、各種情報を格納する情報記憶手段と、ユーザからの操作を受け付ける操作入力手段と、携帯電話など外部との通信を行うことができるデータ通信手段と、を有する。
【０００９】
また、前記操作入力手段は、マイクに接続され入力された音声により種々のコマンドとして認識する音声認識手段を備えるものであってもよい。
【００１０】
ここで、前記制御手段は、前記操作入力手段により入力された利用者のプッシュ情報の出力を中断する要求を受けて、モニタ装置へのプッシュ情報の出力を抑止する。これにより、利用者の意思でプッシュ情報の出力を抑止することができる。
【００１１】
また、前記制御手段は、前記操作入力手段により入力された利用者のプッシュ情報の出力を中断する要求を受けた時に、出力していたプッシュ情報を前記情報記憶手段に蓄え、後に前記操作入力手段により入力された利用者のプッシュ情報の再出力の要求を受けた時に、改めて蓄えた情報を前記情報記憶手段からモニタ装置へ出力するようにする。これにより、利用者が再び欲した時に利用者の意思で抑止した情報を開示することができる。
【発明の効果】
【００１２】
本発明によれば、利用者は突然のプッシュ情報の出力を自分の意思で中断し、利用者の希望時に中断したプッシュ情報を呼び出して出力できるので、運転の妨げを抑止することができ、安全性を高める効果がある。
【発明を実施するための最良の形態】
【００１３】
以下、本発明の一実施形態について説明する。
【００１４】
図１は、本発明の一実施形態が適用された端末装置の構成図である。図示するように、本実施形態の端末装置１は、接続されたモニタ装置１０６に対して地図の描画処理を行う地図描画部１００と、外部のスピーカ１０７による音声出力の制御を行う音声出力制御部１０１と、マイク１０９から入力された音声に基づき種々のコマンドを認識する音声認識部１０２と、端末装置１の位置を測定可能なＧＰＳ受信機１１０からの信号によって自車位置情報を算出する自車位置算出部１０３と、タイマ１１２を備えこれら各々の処理部を制御する制御部１０４と、各種情報を格納するメモリ１０５と、制御部１０４に接続されユーザからの操作による入力を受け付ける操作入力部１０８と、制御部１０４に接続され外部との通信を行うことができる携帯電話などのデータ通信受信装置１１１と、を有する。
【００１５】
図２に、実際に車両にこの端末装置１が搭載された時の車両のコンソールイメージを示す。図示するように、端末装置１に装着されたモニタ装置１０６近くにボタンなどの操作入力部１０８が設置されていても良い。また、利用者の利便性を考慮して、車両の操作ハンドル２００内にボタンなどの操作入力部１０８を取り付けてもよい。マイク１０９は、利用者の声を拾いやすい位置に設置されているものとし、スピーカ１０７も同様に利用者に聞きやすい位置に端末装置専用として設置しても良いし、車両内にあるオーディオ装置などで別に利用しているスピーカを利用しても良い。
【００１６】
図３は、端末装置１に対してプッシュ配信するプッシュ情報を送信するポータルサーバの構成図である。図示するように、本実施形態のポータルサーバ３は、端末装置に情報を配信するための制御部３００と、情報を格納するメモリ３０１と、情報を送信するためのデータ通信送信装置３０４とを有する。メモリ３０１には、制御部３００における処理の必要に応じて各種情報格納領域を設ける。例えば、各利用者が個別に設定した情報を格納する利用者別の個人設定情報蓄積部３０５や、利用者別に各々の現在位置情報を格納する端末位置蓄積部３０６や利用者が設定した利用者別の誘導経路情報を格納する経路情報蓄積部３０７やプッシュ配信する情報を格納するプッシュ情報蓄積部３０８など、である。プッシュ情報蓄積部３０８内に格納される情報としては、事故や道路規制情報などの交通情報であったり、各々の地点に依存する店舗情報であったり、利用者の好みに設定した各地点に依存する音楽情報など、地点あるいは地域に依存して利用者に発信する情報である。このプッシュ情報には、情報を配信する範囲である配信領域と配信時刻、及び情報のジャンルが設定されている。そして利用者の誘導経路が配信領域を通過するプッシュ情報の中から、配信する情報のジャンルに基づき個人設定情報蓄積部３０５に格納された情報から個人の嗜好に応じて配信対象とするプッシュ情報を選び、端末位置蓄積部３０６の情報に基づき配信時刻に配信領域に存在する利用者に対してプッシュ情報を配信する。
【００１７】
制御部３００には、個人設定情報蓄積部３０５や端末位置蓄積部３０６，経路情報蓄積部３０７などの情報に基づいてプッシュ情報蓄積部３０８に格納された情報の中からプッシュ配信する情報の有無を判断するプッシュ情報送信判断部３０２や、利用者別経路情報蓄積部３０７と端末位置蓄積部３０６内の情報を用いて、そのプッシュ情報をどの端末に対して送信すべきかを特定する送信先端末装置特定処理部３０３、を有する。
【００１８】
図４は、本実施形態に係る端末装置１において、プッシュ情報を受信した場合の処理動作手順を説明するための図である。端末装置１は、ポータルサーバ３からのプッシュ配信を受信するために待機状態にあり（ステップＳ１）、データ通信受信装置１１１によってポータルサーバ３からのプッシュ情報を受信する（ステップＳ２）。端末装置１は、制御部１０４において受信したプッシュ情報を解釈して、予め定められていた処理に基づき、モニタ装置１０６やスピーカ１０７を用いて情報を利用者に出力する（ステップＳ３）。
【００１９】
情報を出力している最中には、利用者が端末装置１における操作入力部１０８の操作やマイク１０９を用いた音声入力により情報の出力を中断する要求を行うか監視する（ステップＳ４）。この時、情報出力の中断要求が無い場合はそのまま情報の出力を継続するが、情報出力の中断の要求が有る場合は、タイマ１１２による中断要求のあった時刻を求めてメモリ１０５に記録し（ステップＳ５）、さらにプッシュ情報を受信した時刻あるいは中断要求のあった時刻における、ＧＰＳ受信機１１０よりる計測情報に基づき求められた走行位置座標をメモリ１０５に格納する（ステップＳ６）。メモリ１０５に格納する時刻情報は、中断時刻だけでなく、プッシュ情報を受信した受信時刻でもよく、またプッシュ情報内に明示してある時刻情報（例えば有効時間帯など）があればそれを格納しても良い。また、中断対象となったプッシュ情報は、その内容に基づいて分類した後に（ステップＳ７）、この分類結果に基づき情報をメモリ１０５に格納する（ステップＳ８）。そして出力の中断が指示されたプッシュ情報の出力が中断されて（ステップＳ９）再びプッシュ情報の受信待機状態となる。一方、ステップＳ４で情報の出力中断要求が指示されなかった場合には、表示出力の場合には所定の時間が経過して表示が終了するまで待って（ステップＳ１０）表示が終了する。なお、本実施形態においては、ステップＳ５〜Ｓ９の処理順序は特に固定で定められているものではない。
【００２０】
図５は、図４に示す処理動作手順により処理を中断された時のプッシュ情報のメモリ
１０５内での格納形態を図示するものである。格納する情報は、ステップＳ５，Ｓ６，
Ｓ７，Ｓ８の処理で格納された各々の情報が一つの組となって、プッシュ情報の出力が中断される度に１件ずつ格納される。また、図に示すように、ステップＳ６により分類される情報の種類としては、事故や工事や店舗での特売情報などプッシュされる情報の性質により分類されるが、この分類は予めプッシュされる情報中に定義されているジャンル情報と同じでもよいし、端末装置１において情報の内容を解釈して自動的に分類される処理によるものでもよい。
【００２１】
図５に示した処理により利用者の指示に基づき出力が中断されメモリ１０５に格納されたプッシュ情報は、利用者の要求により再び呼び出して出力することができる。図７は、本実施形態に係る端末装置１において、蓄えたプッシュ情報を再び呼び出して出力する場合の処理動作手順を説明するための図である。通常はモニタ装置１０６上に地図などの情報を表示している状態において、利用者が端末装置１の操作入力部１０８やマイク１０９を用いて、蓄積情報の開示要求を行っているか否かを判定する（ステップＳ１１）。利用者からの開示要求がなければ、そのまま地図表示などの処理を続行する。もし開示要求があれば、制御部１０４はメモリ１０５の中の蓄積情報にアクセスする（ステップＳ１２）。制御部１０４は、プッシュ情報の出力を中断された時またはプッシュ情報を受信した時の車両走行位置に対応した地図上の座標位置にアイコンを表示し（ステップＳ１３）、このアイコンに対応付けて各蓄積情報の出力を中断した時刻プッシュ情報を受信した時刻とプッシュ情報の分類を地図上に簡略表示する（ステップＳ１４）。
【００２２】
図８は、蓄積されていた複数のプッシュ情報が利用者により呼び出された場合の地図上への簡略表示の一形態を示す図である。呼び出すプッシュ情報をリストの中から選んで地図上に表示させる場合を除き、最も新しく蓄積されたプッシュ情報から地図上に表示される。なお、蓄積位置が現在位置に最も近いプッシュ情報から表示するようにしても良い。図示するように、この場合は、モニタ装置１０６の表示領域８内に表示されている地図上に、プッシュ情報の出力の中断時刻またはプッシュ情報の受信時刻における車両走行位置を示すアイコン８０１と、その情報に付随した中断時刻，受信時刻などの時刻情報や情報の分類をアイコンに対応付けられた吹き出し枠８０２内に簡略表示している形態である。別の蓄積されたプッシュ情報も、画面に表示されている地図の領域内にアイコンが表示可能なものは同様に地図上に表示される。利用者が吹き出し枠８０３にフォーカスを当てている場合は、他の吹き出し枠と区別するようにその吹き出し枠および対応するアイコンを異なる配色にする。この表現を用いて、端末装置の操作入力部１０８やマイク１０９による指示により各吹き出し枠間を遷移するように吹き出し枠の配色を切り替えて表示することが可能とし、これにより利用者がどの情報に着目しているかを表現可能とする。
【００２３】
フォーカスが当たっているウィンドウ枠に対応したプッシュ情報について、蓄積されている全ての情報を出力させたい場合には、そのプッシュ情報にフォーカスが当たった状態でさらに操作入力部１０８のボタン入力やマイク１０９の音声指示により詳細情報の表示要求を出す。蓄えたプッシュ情報を再び呼び出して出力する処理では、利用者により選択されているプッシュ情報に関する詳細情報の表示要求が発生するか調べ(ステップＳ１５)、詳細情報の表示要求が入力された場合には受信したプッシュ情報のデータの詳細情報を表示する（ステップＳ１６）。
【００２４】
図８に示すように、地図上でアイコンや吹き出し枠を表示する時は、蓄積情報が多い場合は一画面に全て表示すると煩わしいので、予め決めておいた最大件数だけを選択して表示し、ウィンドウ枠８０５のように記録されている情報の全件数を記しておく。この場合、最大件数分のアイコンを表示するために地図の縮尺を変更すると、利用者の地図上での距離の把握が難しくなるため、最大件数分のアイコンの内、画面に表示されている地図の縮尺を変更せずに一画面に表示可能なアイコン毎に地図上に表示する。さらに、画面上のボタン８０６に焦点を合わせ前の情報要求を出すことにより、画面に表示されているものより前のアイコンおよびウィンドウ枠を、ボタン８０７に焦点を合わせ次の情報要求を出すことにより、表示されているものより後ろのアイコンおよびウィンドウ枠を呼び出すことができる。
【００２５】
なお、メモリ１０５内に蓄えた多くあるプッシュ情報の中から予め指定された件数分を抽出し画面に表示するための情報の抽出手段は、中断時刻や受信時刻などの情報が持つ時刻を現時刻に近い順に選択しても良いし、情報の持つ座標位置から自車位置に近い順に選択しても良いし、更に予め表示対処とする情報の分類を指定した上で蓄積したプッシュ情報を呼び出しても良い。
【００２６】
また、利用者が画面中の情報更新ボタン８０４に焦点を合わせ指示を出すことにより、プッシュ情報に関する最新の情報をポータルサーバ３に問合せることができる。この場合、蓄えたプッシュ情報を再び呼び出して出力する処理では、情報更新ボタン８０４が選択されて蓄積されたプッシュ情報を最新の情報に更新する要求が入力されたか否かを調べ
（ステップＳ１７）、情報の更新要求が入力された場合には、選択されているプッシュ情報についてポータルサーバ３に問合せる（ステップＳ１８）。問合せた後は表示を更新して受信した最新情報を出力する（ステップＳ１９）。もし、最新情報の中ですでに蓄えていた情報に関する最新情報が無くなっているプッシュ情報については、その情報は不要であるためメモリから消去する（ステップＳ２０）。なお、これら表示されている情報は一定時間を経過した後にその表示を消去し（ステップＳ１９）、蓄積プッシュ情報再表示の要求前の画面表示に遷移する。
【００２７】
なお、図７に示す処理動作手順中により蓄積されているプッシュ情報を出力中であっても、利用者の要求によっては図４の処理手順と同様にそのプッシュ情報の出力を中断し、改めて後で情報を出力をするように指示することができる。
【００２８】
図９は、蓄積されていた複数のプッシュ情報を地図上に簡略表示する場合の別の表示形態を示す図である。図示するように、この場合は、モニタ装置１０６を左右２つのの表示領域に分割し、一方の地図表示領域９００内に表示されている地図上に、中断された時の車両走行位置を示すアイコン９０１を表示し、また別の情報表示領域９０２の中に各アイコンに対応する情報出力枠９０３を設け簡略表示情報を示す。この場合も同様に、利用者がどこにフォーカスを当てているかわかるようにフォーカスを当てているプッシュ情報のアイコンと情報出力枠の配色を変える。また、同様にそのフォーカスを当てている情報出力枠が示すプッシュ情報について蓄積されている全ての情報が知りたい場合は、焦点を当てている状態でさらに操作入力部１０８のボタン入力やマイク１０９の音声指示により詳細情報の表示要求を出し、受信データの詳細情報を表示する。また、同様に利用者が画面中の情報更新ボタン８０４に焦点を合わせ指示を出すことにより、プッシュ情報に関する最新の情報をポータルサーバ３に問合せることができる。
【００２９】
また図９においても、図８と同様に、予め決めておいた最大件数だけプッシュ情報を選択してアイコンを表示し、ウィンドウ枠９０５のように記録されている情報の全件数を記したり、画面上のボタン９０６やボタン９０７に焦点を合わせ前の情報要求を出すことにより、その前後の件数の情報を呼び出すことができる。
【００３０】
図６は、図４に示す処理動作手順により処理を中断された時のプッシュ情報のメモリ
１０５内での別の格納形態を図示するものである。この格納形態では、図５で示す内容のほかに、各々の蓄積データに関し情報の有効期限を持たせている。この有効期限の情報を用いて、蓄積データは蓄積されてから有効期限として示される時刻まで保存しておき、それ以後はメモリ１０５より消去するようにする。なお、有効期限の表記は保持する時間であってもよいし、消去する時刻を明記するものでもよい。また、有効期限の情報はポータルサーバ３においてプッシュ情報内に予め含めておいても良いし、分類などの情報を基に端末装置１内で自動的に算出しても良い。
【００３１】
図６の格納形態でメモリに格納されたプッシュ情報の蓄積データを消去する処理動作を説明する。本実施形態では、端末装置の電源を入れた時に、メモリに格納されている蓄積情報の各情報に対する有効期限と現在時刻を対比して、既に有効期限を過ぎている蓄積情報に関しては、メモリの中から消去する。この処理は、端末装置の電源を入れた時に行うだけでなく、定期的にこの処理を行ってプッシュ情報の蓄積データを管理するようにしてもよい。
【図面の簡単な説明】
【００３２】
【図１】本発明の一実施形態が適用された端末装置の構成図である。
【図２】車両に搭載された端末装置を示す図である。
【図３】端末装置に対してプッシュ情報を送信するポータルサーバの構成図である。
【図４】端末装置においてプッシュ情報を受信した場合の処理動作手順を説明するための図である。
【図５】出力中断プッシュ情報のメモリ内での格納形態を示す図である。
【図６】出力中断プッシュ情報のメモリ内での格納形態を示す図である。
【図７】端末装置において蓄えたプッシュ情報を再び呼び出して出力する場合の処理動作手順を説明するための図である。
【図８】蓄積した複数のプッシュ情報の地図上への簡略表示の一形態を示す図である。
【図９】蓄積した複数のプッシュ情報の地図上への簡略表示の一形態を示す図である。
【符号の説明】
【００３３】
１…端末装置、３…ポータルサーバ、１００…地図描画部、１０１…音声出力制御部、１０２…音声認識部、１０３…自車位置算出部、１０４，３００…制御部、１０５，301…メモリ、１０６…モニタ装置、１０７…スピーカ、１０８…操作入力部、１０９…マイク、１１０…ＧＰＳ受信機、１１１…データ通信受信装置、２００…操作ハンドル、302…プッシュ情報送信判断部、３０３…送信先端末装置特定処理部、３０４…データ通信送信装置、３０５…個人設定情報蓄積部、３０６…端末位置蓄積部、３０７…経路情報蓄積部、３０８…プッシュ情報蓄積部。
【図１】
2005121369.tif 000003
【図２】
2005121369.tif 000004
【図３】
2005121369.tif 000005
【図４】
2005121369.tif 000006
【図５】
2005121369.tif 000007
【図６】
2005121369.tif 000008
【図７】
2005121369.tif 000009
【図８】
2005121369.tif 000010
【図９】
2005121369.tif 000011